(57)【特許請求の範囲】
【請求項１】
記録媒体に対してデータの入力又は出力処理を行うポートを複数備えるデータ処理装置であって、
上記ポートを使用者が選択するための複数の操作ボタンからなるボタン群と、
上記ボタン群についての記録装置モード及び再生装置モードを切り替える切り替え手段と、
上記モードを切り替える前後の上記ボタン群の選択状態を自動的に組として記憶する記憶手段と、
上記記憶手段により組として記憶されたボタン群に従って、記録装置モードにおいて、入力処理をするポートが使用者に選択されたときには、自動的に再生装置モードにおいて出力処理をするポートを指定し、且つ再生装置モードにおいて、出力処理をするポートが使用者に選択されたときには、自動的に記録装置モードにおいて入力処理をするポートを指定することを制御する制御手段と
を備えるデータ処理装置。
【請求項２】
上記記憶手段は、記録装置モードにおける上記ボタン群の選択状態と、再生装置モードにおける上記ボタン群の選択状態とを記憶する請求項１記載のデータ処理装置。
【請求項３】
記録媒体に対してデータの入力又は出力処理を行うポートを複数備える装置におけるデータ処理方法であって、
上記ポートを使用者が選択するための複数の操作ボタンからなるボタン群についての記録装置モード及び再生装置モードを切り替える切り替え工程と、
上記モードが切り替わる前後の上記ボタン群の選択状態を自動的に組として記憶手段に記憶する記憶工程と、
上記記憶手段により組として記憶されたボタン群に従って、記録装置モードにおいて、入力処理をするポートが使用者に選択されたときには、自動的に再生装置モードにおいて出力処理をするポートを指定し、且つ再生装置モードにおいて、出力処理をするポートが使用者に選択されたときには、自動的に記録装置モードにおいて入力処理をするポートを指定することを制御する制御工程と
を有するデータ処理方法。
【発明の詳細な説明】
【０００１】
【発明の属する技術分野】
本発明は、記録媒体に対するデータの記録及び再生を行うデータ処理装置及び方法に関し、詳しくは、ノンリニアアクセス可能な記録媒体を記録媒体として使用する場合に好適なデータ処理装置及び方法に関する。
【０００２】
【従来の技術】
画像データや音声データを記録及び／又は再生する記録再生装置として例えば、国際出願番号ＰＣＴ／ＪＰ９５／０１６１７に開示されているように、内部にＨＤＤ（ハードディスクドライブ）とＶＴＲとが内蔵されたハイブリッドな記録及び／又は再生装置が提案されている。このハイブリッドな記録及び／又は再生装置は、一度、ＨＤＤに画像データ、音声データを格納し、編集した後、ＶＴＲでテープに記録して、テープから放送再生用として送出する、いわゆるオンライン編集機として用いられている。このようなハイブリッド記録再生装置は、通常、コントロールパネルを有し、このコントロールパネルには、記録、再生、早送り、巻き戻し、及び停止等を制御するための操作ボタンを有している。
【０００３】
また、上述したハイブリッドな記録及び／又は再生装置を装着して、この外部機器から出力されるデータを記録することができる。すなわち、国際出願番号ＰＣＴ／ＪＰ９５／０１６１７に開示されているように、携帯用ＡＶ編装置と接続して、ハイブリッド記録及び／又は再生装置のＶＴＲで、再生されたデータを携帯用編集装置に出力して、編集したデータがハイブリッドに入力されるようになされている。
【０００４】
この場合、記録再生装置は、自己のコントロールパネルの操作内容に従ってコマンド信号を外部機器に出力して外部機器の記録又は再生処理等の制御を行う。記録再生装置は、これにより、例えば、外部機器から出力されたデータと自己が管理している記録媒体のデータとを用いて編集することができる。
【０００５】
例えば、図１３には、記録再生装置の備える従来のコントロールパネルの操作ボタンの例を示している。
【０００６】
操作ボタン「PLAYER」１００１を操作することで外部再生用ＶＴＲからデータを再生させ、このような操作ボタンを有した記録及び／又は再生装置に外部再生用ＶＴＲと外部記録用ＶＴＲとが接続されたときに、操作ボタン「RECORDER」１００２を操作することで、外部記録用ＶＴＲにデータを記録させる。このようなコントロールパネルによりカット切り替えによりカット編集を行う場合には、操作ボタン「PLAYER」１００１により外部再生用ＶＴＲを選択して、再生側のカットイン点、カットアウト点を決定し、さらに操作ボタン「RECORDER」１００２により外部記録用ＶＴＲを選択して、記録側のカットイン点、カットアウト点を決定する。ここで、カットイン点とカットアウト点は、カット編集の際における編集開始点と編集終了点を意味している。例えば、カットイン点及びカットアウト点は、図１４に示すように、コントロールパネルの操作ボタン「IN」１００３及び操作ボタン「OUT」１００４の選択により決定される。
【０００７】
記録及び／又は再生装置は、図１５に示すように、再生側を選択するための操作ボタン「PLAYER」１００５、記録側を選択するための操作ボタン「RECORDER」１００６、再生側及び記録側として選択可能な記録媒体等を示す操作ボタン「EXT」１００７、操作ボタン「TAPE」１００８，１０１０、及び操作ボタン「DISK MASTER」１００９，１０１１をコントロールパネル１０１２上に有している。
【０００８】
例えば、各操作ボタンの形状は、略正方形とされており、押圧操作により操作ボタンは点灯等するように構成されている。
【０００９】
ここで、操作ボタン「EXT」１００７は外部からの信号（以下、外部信号という。）に対応し、操作ボタン「TAPE」１００８，１０１０は内部に備えたテープ（以下、内部テープという。）に対応し、操作ボタン「DISK MASTER」１００９，１０１０は内部に備えたハードディスク（以下、内部ハードディスクという。）に対応している。そして、操作ボタン１００７，１００８，１００９については、操作ボタン「PLAYER」１００５に対応されたボタン群としてコントロールパネル上に配置されており、また、操作ボタン１０１０，１０１１についは、操作ボタン「RECORDER」１００６に対応されたボタン群としてコントロールパネル上に配置されている。すなわち、例えば、操作ボタン「DISK MASTER」，「TAPE」，「EXT」の点灯状態は、記録側或いは再生側としてそれぞれ内部ハードディスク、内部テープ、外部信号のいずれかの選択を示す。
【００１０】
例えば、再生側として外部信号を選択し、記録側として内部ハードディスクを選択し、編集作業を行う場合には次のような操作により実現されている。
【００１１】
編集の再生側として外部信号を使用する場合は、操作ボタン「PLAYER」１００５と操作ボタン「EXT」１００７を同時に押し、記録側として内部ハードディスクを使用する場合は、操作ボタン「RECORDER」１００６と操作ボタン「DISK MASTER」１０１０を同時に押す。すると、再生側の操作ボタン「EXT」１００７及び記録側の操作ボタン「DISK MASUTER」１０１０が点灯する。
【００１２】
この状態で操作ボタン「PLAYER」１００５のみを押して再生側の編集点を決定する。同様に、操作ボタン「RECORDER」１００６のみを押して記録側の編集点を決定する。例えば、図１４に示した操作ボタン「IN」１００３、操作ボタン「OUT」１００４を操作してカットイン点及びカットアウト点を設定する。
【００１３】
以上のように各操作ボタンを構成することにより、データの編集等の各種処理が可能とされている。
【００１４】
【発明が解決しようとする課題】
ところで、電子機器の小型化は、携帯性が向上する等の点で重要なことである。記録再生装置は、上述したようなコントロールパネルを筐体の一部に備えているので、装置自体の小型化には、コントロールパネルの小型化も同時に行う必要がでくる。このような場合、限られた操作面積内に、多くの処理を可能とする操作ボタンを配置する必要がある。
【００１５】
他方、近年、ハードディスク等のランダムアクセスデバイスを用いたＡ／Ｖサーバーが提案されている。Ａ／Ｖサーバーは、大容量の記憶手段であり、画像及び音声データを主として記録管理することができる。このようなことから、Ａ／Ｖサーバーは、一般的には、放送業務用等として広く用いられている。Ａ／Ｖサーバーの記憶容量は、例えば、記録させるべきデータは確実に記録できるように、また、記録されたデータは、確実に再生させるように冗長性をもたせられ、いわゆるＲＡＩＤ（Redundant Array of Independent Disks）構成をとった複数のＨＤＤ（ハードディスクドライブ）により決定されている。
【００１６】
このＡ／Ｖサーバーは、従来のＶＴＲ機器とは異なりマルチチャンネル化が容易であるため、最近では、送出用サーバーを始めとして、放送業務用途においても利用されている。
【００１７】
また、放送用ビデオ機器では、一般的には、オーディオチャンネルが４チャンネルであったが、デジタルテレビジョン放送に対応させることを考えた場合、多チャンネル化、例えば、８チャンネルを有すること等が望まれる。
【００１８】
このようなチャンネル等の増加に伴いＡ／Ｖサーバーを制御するための機器もこれまでになく大規模になる傾向にある。例えば、従来においては、多チャンネルオーディオをサポートしたＡ／Ｖサーバーのオペレーションは主として大規模なシステムのアプリケーションや、外部コントローラから行われてきた。これらは、パーソナルコンピュータやワークステーションを利用して大規模なＵＩ（User Interface）を実現している。すなわち、パーソナルコンピュータやワークステーションといった外部ＵＩ（User Interface）によりＡ／Ｖサーバーの操作を実現しており、Ａ／Ｖサーバー筐体自体は、高機能な操作用ＵＩを備えていなかった。
【００１９】
さらに、このようなＡ／Ｖサーバーを放送中継車等限られたスペースに配置できるようコントロールパネルを備え、従来パーソナルコンピュータやワークステーションなど外部ＵＩが行っていた機能を実現できるようにＡ／Ｖサーバー自体に要求されている。
【００２０】
そこで、本発明は、上述の実情に鑑みてなされたものであり、操作面積を小さくしながらも多くの処理を可能にする操作ボタンを有するデータ処理装置及び方法を提供することを目的としている。
【００２１】
【課題を解決するための手段】
本発明に係るデータ処理装置は、上述の課題を解決するために、記録媒体に対してデータの入力又は出力処理を行うポートを複数備えるデータ処理装置であって、上記ポートを使用者が選択するための複数の操作ボタンからなるボタン群と、上記ボタン群についての記録装置モード及び再生装置モードを切り替える切り替え手段と、上記モードを切り替える前後の上記ボタン群の選択状態を自動的に組として記憶する記憶手段と、上記記憶手段により組として記憶されたボタン群に従って、記録装置モードにおいて、入力処理をするポートが使用者に選択されたときには、自動的に再生装置モードにおいて出力処理をするポートを指定し、且つ再生装置モードにおいて、出力処理をするポートが使用者に選択されたときには、自動的に記録装置モードにおいて入力処理をするポートを指定することを制御する制御手段とを備えている。
また、本発明に係るデータ処理方法は、上述の課題を解決するために、記録媒体に対してデータの入力又は出力処理を行うポートを複数備える装置におけるデータ処理方法であって、上記ポートを使用者が選択するための複数の操作ボタンからなるボタン群についての記録装置モード及び再生装置モードを切り替える切り替え工程と、上記モードが切り替わる前後の上記ボタン群の選択状態を自動的に組として記憶手段に記憶する記憶工程と、上記記憶手段により組として記憶されたボタン群に従って、記録装置モードにおいて、入力処理をするポートが使用者に選択されたときには、自動的に再生装置モードにおいて出力処理をするポートを指定し、且つ再生装置モードにおいて、出力処理をするポートが使用者に選択されたときには、自動的に記録装置モードにおいて入力処理をするポートを指定することを制御する制御工程とを有している。
【００２２】
このような構成を有するデータ処理装置及び方法は、一つのボタン群によりモード毎の操作が可能になる。すなわち、データ処理装置及び方法は、複数のモードに対応して複数のボタン群を備えることなく、当該モードを実行することが可能となる。
【００２３】
【発明の実施の形態】
以下、本発明の実施の形態について図面を用いて詳しく説明する。この実施の形態は、本発明に係るデータ記録再生装置を、音声及び／又は画像信号を含むデータを記録媒体に対して記録及び／又は再生するＡ／Ｖサーバーに適用したものである。Ａ／Ｖサーバーは、複数のＨＤＤ（ハードディスクドライブ）と、複数の入出処理部を備え、割り当てられたタイムスロットで各入出力処理部が動作してデータが入力されたＨＤＤに記録又はＨＤＤからデータを再生して外部に出力し、マルチチャンネルを実現している。このＡ／Ｖサーバーの具体的な構成は後述する。
【００２４】
そして、Ａ／Ｖサーバーは、図１に示すような操作ボタンからなるコントロールパネル２を備えている。
【００２５】
コントロールパネル２は、筐体の表面に配置され、入出力処理部（以下、ポートという。）を選択するための複数の操作ボタン３，４，５，６，７，８からなるポート選択ボタン群９と、ポート選択ボタン群９についてのモードを切り替える操作ボタン１１，１２とを備えている。
【００２６】
Ａ／Ｖサーバー１の有するポートは、外部から入力されるデータをＨＤＤに記録処理するための図２に示す記録ポート１１０と、ＨＤＤに記録されているデータを外部に出力するための図２に示す再生ポート１２０，１３０，１４０とを備えている。記録ポート１１０は、例えば、入力されたデータを圧縮符号化（エンコード）するエンコーダ１１２等によりＨＤＤへの入力処理を行い、また、再生ポート１２０，１３０，１４０は、例えば、データを復号するデコーダ１２２，１３２，１４２等によりＨＤＤからのデータについて出力処理を行っている。この再生ポート及び記録ポートについては、後述する。
【００２７】
このコントロールパネル２により、再生処理を行う上述した再生ポート１２０、１３０，１４０、記録処理を行う記録ポート１１０、及びＡ／Ｖサーバーに外部接続される外部機器等が選択され、その制御がなされる。例えば、外部機器は、ビデオテープに画像信号を記録するＶＴＲ機器等である。
【００２８】
図２に示すように、Ａ／Ｖサーバー１は、入力処理部である記録ポート（ＲＥＣポート）１１０、出力処理部である再生ポート（ＰＢポート）１２０，１３０，１４０、エディティングマネージャ（Editing Manager）１５０、ビデオエフェクタ１６０、タイミングマネージャ（Timing Manager）１７０、ファイルマネージャ（File Manager）１８０、及び複数のＨＤＤ（ハードディスクドライブ）２００1，２００2，・・・，２００n-3，２００n-2，２００n-1，２００nを有しているＨＤＤアレイ（ＨＤＤ Array）１９０を備えている。
【００２９】
そして、Ａ／Ｖサーバー１は、記録ポート１１０、再生ポート１２０，１３０，１４０とＨＤＤアレイ１９０との間のデータ転送のためのデータバス２１０及び各部を制御するための制御バス２２０を備えている。
【００３０】
次に、Ａ／Ｖサーバー１の各部の構成について詳しく説明する。
【００３１】
記録ポート１１０は、セレクタ１１１、エンコーダ１１２、バッファ１１３、Ｉ／Ｆ１１４、ＣＰＵ１１５、リモート信号入力端子１１６、及び外部入力端子１１７を備えている。
【００３２】
セレクタ１１１は、復号するデータを選択するデータ選択手段であって、外部入力端子１１７及びエディティングマネージャ１５０のラウタ１５１の出力と接続されており、外部入力端子１１７及びエディティングマネージャ１５０のラウタ１５１からの信号のうちの何れか一の信号を選択して後段のエンコーダ１１２に出力する。例えば、セレクタ１１には外部入力端子１１７からデジタルの音声及び／又は画像信号が入力される。
【００３３】
なお、外部入力端子１１７から入力される信号は、セレクタ１１１に入力されるとともに、エディティングマネージャ１５０にも入力される。
【００３４】
エンコーダ１１２は、セレクタ１１１から出力された信号を圧縮符号化する。具体的には、エンコーダ１１２は、入力された信号についてＭＰＥＧ（Moving Picture Experts Groupe）方式による圧縮符号化を行う。ただし、このエンコーダ１１２においては、圧縮符号化に拘泥せずとも、後段のＨＤＤ２００に記録しやすいフォーマットに選択すればよく、例えば、ＳＭＰＴＥ（Society of Motion Picture and Television Engineers）−２５９Ｍで規格されたＳＤＩ（Serial Digital Interface）データから音声や画像データを抜き出す処理であってもよい。或いはＳＭＰＴＥ−３０５Ｍで規格されたＳＤＴＩ（Serial Digital Transfer Interface）信号から音声・画像信号を取り出す処理であってもよい。以下は、エンコーダ１１２の処理は圧縮符号化処理として記述する。このエンコーダ１１２の圧縮符号化により生成された圧縮データは、バッファ１１３に入力される。
【００３５】
バッファ１１３は、エンコーダ１１３から出力されてくる圧縮データを一時的に格納する記憶手段である。圧縮データは、このバッファ１１３によりバッファリング処理されて、スケジューリングに従って、データバス２１０を介してＨＤＤアレイ１９０に送信される。ここで、スケジューリングとは、タイミングパルス発生器１７１から各ポートのＣＰＵにタイムスロットが割り当てられ、そのタイムスロット内で各ポートを動作させるためのスケジュールに沿う処理である。
【００３６】
Ｉ／Ｆ１１４は、リモート信号入力端子１１６から入力されるリモート信号用のインタフェースである。例えばリモート信号は、外部機器から送信されてきた記録ポート１１０を制御するためのコマンド信号である。
【００３７】
ＣＰＵ１１５は、記録ポート１１０の各部を制御する制御手段である。ＣＰＵ１１５は、例えば、Ｉ／Ｆ１１４又は制御バス２２０を介して入力されるコマンド信号等によりＲＥＣポート１１０の各部の制御を行う。
【００３８】
再生ポート１２０は、ＨＤＤアレイ１９０に記録されていたデータを外部へ出力するための処理を行う出力用プロセッサとして構成されている。この再生ポート１２０は、バッファ１２１、デコーダ１２２、セレクタ１２３、Ｉ／Ｆ１２４、ＣＰＵ１２５、リモート信号入力端子１２６、及び外部出力端子１２７を備えている。
【００３９】
バッファ１２１は、データバス２１０を介してＨＤＤアレイ１９０から送られてくるデータを一時的に格納する記憶手段である。このバッファ１２１からのデータは、割り当てられたタイムスロットのデコーダ１２２に入力される。
【００４０】
デコーダ１２２は、圧縮符号化されているデータを復号する。このデコーダ１２２により復号して得た信号は、セレクタ１２３に入力される。なお、デコーダ１２２により復号された信号は、エディティングマネージャ１５０にも入力される。
【００４１】
なお、このデコーダ１２２もエンコーダ１１２と同様に、ＳＤＩ（Serial Digital Interface）データに対して、音声や画像データを格納する処理であってもよいし、或いはＳＤＴＩ（Serial Digital Transfer Interface）信号に音声・画像信号を格納する処理であってもよい。
【００４２】
セレクタ１２３は、外部に出力するデータを選択するデータ選択手段である。具体的には、セレクタ１２３は、デコーダ１２２の出力及びラウタ１５１の出力と接続されており、デコーダ１２２及びラウタ１５１からの信号のうちの何れか一の信号を選択して外部出力端子１２７に出力している。
【００４３】
Ｉ／Ｆ１２４は、リモート信号入力端子１２６から入力されるリモート信号用のインタフェースである。例えばリモート信号は、外部機器から送信されてきた再生ポート１２０を制御するためのコマンド信号である。
【００４４】
ＣＰＵ１２５は、再生ポート１２０の各部を制御する制御手段である。ＣＰＵ１２５は、例えば、Ｉ／Ｆ１２４又は制御バス２２０を介して入力されるコマンド信号等により再生ポート１２０の各部の制御を行う。
【００４５】
再生ポート１３０，１４０は、このような構成からなる再生ポート１２０と同様に構成されている。
【００４６】
すなわち、再生ポート１３０については、ＨＤＤアレイ１９０からのデータを一時的に記憶するバッファ１３１と、バッファ１３１を介して入力された圧縮データを復号するデコーダ１３２と、デコーダ１３２及びラウタ１５１からの信号のうち何れか一の信号を選択して外部出力端子１３７に出力するセレクタ１３３と、リモート信号入力端子１３６から入力されるリモート信号用のインタフェースとされるＩ／Ｆ１３４と、この再生ポート１３０の各部をコマンド信号等により制御するＣＰＵ１３５とを備えている。
【００４７】
また、再生ポート１４０については、ＨＤＤアレイ１９０からのデータを一時的に記憶するバッファ１４１と、バッファ１４１を介して入力された圧縮データを復号するデコーダ１４２と、デコーダ１４２及びラウタ１５１からの信号のうち何れか一の信号を選択して外部出力端子１４７に出力するセレクタ１４３と、リモート信号入力端子１４６から入力されるリモート信号等のインタフェースとされるＩ／Ｆ１４４と、この再生ポート１４０の各部をコマンド信号等により制御するＣＰＵ１４５とを備えている。
【００４８】
そして、再生ポート１３０，１４０は、再生ポート１２０と同様に、デコーダにより復号した信号をエディティングマネージャ１５０に出力することもしている。再生ポート１３０，１４０からエディティングマネージャ１５０にデータを出力するときとは、例えば、エディティングマネージャ１５０のラウタ１５１においてカット編集を行うときや、ビデオエフェクタ１６０によりキー処理等の特殊効果処理（エフェクト）を行うときである。
【００４９】
エディティングマネージャ１５０は、記録ポート１１０、再生ポート１２０，１３０，１４０内の信号をカット編集を行うラウタ１５１に入出力したり、ビデオエフェクタ１６０に対する入出力をしたりする。
【００５０】
エディティングマネージャ１５０は、ラウタ１５１とＣＰＵ１５２と外部出力端子１５３とから構成され、各ポートのセレクタが入力されたデータの編集を行うために設けられ、ラウタ１５１が出力されたデータは各ポートのセレクタに出力される。
【００５１】
ラウタ１５１は、各ポート１１０，１２０，１３０，１４０のデータの選択切り替えにより、カット編集を行ったり、各ポート１１０，１２０，１３０，１４０とビデオエフェクタ１６０との間のデータの入出力を実現する。
【００５２】
例えば、ラウタ１５１は、複数のセレクタを備えており、これらセレクタによりカット編集を行ったり、また、ビデオエフェクタ１６０へのデータの引き渡しを行っている。そして、ラウタ１５１は、セレクタにより、ビデオエフェクタ１６０により特殊効果処理された画像データ等を所定のポートに出力している。
【００５３】
ラウタ１５１は、具体的には、入出力信号のスイッチングを行い、スイッチングポイント等で特殊効果（キーイング、トランジッション等）を行う必要があるときに、ＣＰＵ１５２の制御で、スイッチングポイントを切り替えて、ビデオエフェクタ１６０に送出する。
【００５４】
外部出力端子１５３は、ラウタ１５１においてカット編集された画像やエフェクタ１６０において特殊効果処理された画像を図示しないモニタに出力するための端子である。例えば、この外部出力端子１５３からの出力により、ラウタ１５１により編集された画像をモニタにおいて確認することができる。
【００５５】
ＣＰＵ１５２は、エディティングマネージャ１５０の各部を制御する制御手段である。さらに、ＣＰＵ１５２は、各ポートのＣＰＵを制御する主制御手段としての機能も有している。このようにＣＰＵ１５２に各ポートのＣＰＵの制御を可能とさせることにより、同時に複数のポートを制御して行う編集処理が可能になる。
【００５６】
このようなエディティングマネージャ１５０により、具体的には、次のような処理が可能になる。
【００５７】
エディティングマネージャ１５０は、再生ポート１２０，１３０，１４０において復号された画像データをセレクトして、ビデオエフェクタ１６０に出力する。そして、エディティングマネージャ１５０は、ビデオエフェクタ１６０において編集された画像データを、例えば、記録ポート１１０のエンコーダ１１２に出力する。これにより、その編集された画像データはエンコーダ１１２で圧縮符号化されて、ＨＤＤ２００に記憶される。
【００５８】
ビデオエフェクタ１６０は、複数の入力データを利用して特殊効果処理を行う部分である。具体的には、ビデオエフェクタ１６０は、キー処理、トランジッション処理、ピクチャインピクチャ（ＰｉｎＰ）等の特殊効果処理を、エディティングマネージャ１５０に入力された画像信号に対して行う。
【００５９】
タイミングマネージャ１７０は、タイミングパルスを発生させるタイミングパルス発生器１７０を備えており、このタイミングパルスに基づいて各ポートのＣＰＵにタイムスロットが割り当てられる。
【００６０】
また、タイミングマネージャ１７０には、ＣＰＵ１７３と、コントロールパネル２とＣＰＵ１７３のインターフェースであるＩ／Ｆ１７２とを備えている。ＣＰＵ１７３は、Ｉ／Ｆ１７２により入力されたコントロールパネル２からの制御信号等に各部の制御を行う。コントロールパネル２は、ユーザに操作されることにより対応した制御信号等を発生されるＵＩ（User Interface）である。
【００６１】
コントロールパネル２は、上述した図１の操作ボタンを有し、この操作ボタンの操作に応じて、記録ポート１１０、再生ポート１２０，１３０，１４０、又は外部機器を選択し、その選択したポート又は外部機器に対して制御信号を出力する。この操作ボタンに応じた各部の処理動作は後述する。
【００６２】
ここで、制御信号は、制御バス２２０を介して各ポートのＣＰＵに入力され、各ポート又は外部機器では、この制御信号、例えば、記録、再生、又は編集信号等により各部の動作を制御する。
【００６３】
ファイルマネージャ１８０は、ＣＰＵ１８１及びネットワーク用Ｉ／Ｆ１８２を備えている。
【００６４】
ネットワーク用Ｉ／Ｆ１８２は、外部のネットワークとのインターフェースである。例えば、ネットワーク用Ｉ／Ｆ１８２は、イーサネット上に接続されている。
【００６５】
ＣＰＵ１８１は、ネットワーク用Ｉ／Ｆ１８２から入力された信号に基づいてデータの管理を行う。すなわち、ファイルマネージャ１８０は、例えば、ネットワーク上から送信されてくる制御信号に基づいて各部の制御を行う。
【００６６】
ＨＤＤアレイ１９０は、バッファ１９１、複数のＨＤＤ（ハードディスクドライブ）２００1，２００2，・・・，２００n-3，２００n-2，２００n-1，２００n、画像データ書き込み／読み出し処理部１９２、及び音声データ書き込み／読み出し処理部１９３を備えている。
【００６７】
バッファ１９１は、データバス２２０との間でのデータを転送を行う際に一時的にデータを記憶する。ＨＤＤ２００1，２００2，・・・，２００n-3，２００n-2，２００n-1，２００nからのデータは、ここでバッファリングされた後、スケジューリングに従ってデータバス２１０に出力される。
【００６８】
画像データ書き込み／読み出し処理部１９２は、ＨＤＤ２００1，２００2，・・・，２００n-3，２００nー2に対して画像データの書き込み及び読み出し処理を行う。例えば、画像データ書き込み／読み出し処理部１９２は、画像データ用のＨＤＤ２００1，２００2，・・・，２００n-3，２００n-2に対してデータを選択的に読み出し及び書き込みする。
【００６９】
音声データ書き込み／読み出し処理部１９３は、ＨＤＤ２００n-2，２００nに対して音声データの書き込み及び読み出し処理を行う。例えば、音声データ書き込み／読み出し処理部１９３は、音声データ用のＨＤＤ２００n-1，２００nに対してデータを選択的に読み出し及び書き込みする。
【００７０】
ちなみに、このＨＤＤ２００1，２００2，・・・，２００n-3，２００n-2，２００n-1，２００nは、図示されているように複数のＨＤＤを並列に並べ、大容量化を図り、また、放送業務用として記録されるべきデータは確実に記録されるよう、また、記録されたデータは確実に再生されるように冗長性をもたせるために、いわゆるＨＤＤアレイ１２０は、ＲＡＩＤ（Redundant Array of Independent Disks）構成をとっており、画像が記録されるＨＤＤ２００1，２００2，・・・，２００n-3，２００n-2はＲＡＩＤ３、音声が記録される２００n-1，２００nはＲＡＩＤ１の構成となっている。
【００７１】
なお、ＨＤＤ２００1，２００2，・・・，２００n-3，２００n-2，２００n-1，２００nは、画像データ書き込み／読み出し処理部１９２及び画像データ書き込み／読み出し処理部１９２に接続されるＨＤＤの数は、データの容量に応じて変更可能とされている。
【００７２】
以上のようにＡ／Ｖサーバー１の各部が構成されている。このＡ／Ｖサーバー１は、記録ポート１１０が１系統の入力として機能し、再生ポート１２０，１３０，１４０が３系統の出力として機能する。すなわち、Ａ／Ｖサーバー１は、コントロールパネル２の操作ボタンにより記録ポート１１０が選択された場合には、記録装置モードとして、記録装置として動作可能状態になり、また、再生ポート１２０，１３０，１４０が選択された場合には、再生装置モードとして、再生装置として動作可能状態になる。
【００７３】
次にコントロールパネル２を操作して上述した各ポート及び外部接続される外部機器を操作する場合について説明する。
【００７４】
各ポート及び外部機器の操作については、図１に示した各操作ボタン３，４，５，６，７，８，１１，１２により行っている。
【００７５】
各操作ボタン３，４，５，６，７，８，１１，１２は、コントロールパネル２上に形成されており、コントロールパネル２は、このボタンの押圧操作によりそのボタンに対応した制御信号を出力するように構成されている。さらに、各制御ボタン３，４，５，６，７，８，１１，１２は、押圧操作に応じて点灯及び消灯状態として切り替えられるようになされている。例えば、操作ボタン３，４，５，６，７，８，１１，１２は、当該ボタンが選択されていることを発光して表示する照光式のボタンとして構成されている。
【００７６】
ここで、図３及び図４を用いて、ポート選択ボタン群９を構成している操作ボタン３，４，５，６，７，８について詳しく説明する。
【００７７】
図３に示すように、「EXT」の表示部分に配置されている操作ボタン３，４は、外部機器を選択するためのボタンである。すなわち、この操作ボタン「EXT」３又は操作ボタン「EXT」４が選択されると、それに対応した外部機器がコマンド信号の送信対象として選択される。
【００７８】
そして、「INT」の表示部分に配置されている操作ボタン５，６，７，８は、各ポートを選択するためのボタンである。すなわち、この操作ボタン「INT」５，６，７，８の何れかが選択されると、それに対応したポートがコマンド信号の送信対象として選択される。
【００７９】
なお、操作ボタン「EXT」３，４には、外部機器が接続されるＡ／Ｖサーバー１の端子部に対応して番号が付され、例えば、操作ボタン３には「１」、操作ボタン４には「２」が付される。また、操作ボタン「INT」５，６，７，８には、ポートに対応して記号が付され、例えば、操作ボタン５には「R1」、操作ボタン６には「P2」、操作ボタン７には「P3」、操作ボタン８には「P3」が付される。よって、例えば、図４に示すように、操作ボタン３，４は、それぞれ外部機器である外部ＶＴＲ３０１，３０２と対応付けされ、操作ボタン５は、記録ポート１１０と対応付けされ、操作ボタン６，７，８は、それぞれ再生ポート１２０，１３０，１４０と対応付けされる。
【００８０】
つまり、各操作ボタンが操作対象と直結しており、使用すべきポートを意識しながら各ポートの選択ができるように各操作ボタンが構成されている。
【００８１】
このような構成とすることにより、限られた資源を有効に使わなければならない場合、例えば１台のレコーダにおいてライブ画像を記録しながら、スローモーションを再生し、かつハイライト編集も同時に行うという場合においてはポート資源を意識しながら操作でき、ポートの有効的利用を図ることができる。
【００８２】
例えば、従来のＵＩ、例えばパーソナルコンピュータやワークステーションを利用したＵＩでは、できるかぎり各ポート（外部機器を含む）を意識させないようになっている。これは、任意のカットを任意の時間軸上に貼り付けるというＧＵＩ（Graphical User Interface）が操作のベースになっているからである。この方法では、資源である記録或いは再生ポートが十分に活用できる場合は操作の簡便化という点では有効な手段として機能する。しかし、限られた資源を有効に使わなければならない場合、例えば１台のレコーダにおいてライブ画像を記録しながら、スローモーションを再生し、かつハイライト部分の編集を行うという場合においては限られたポート資源を意識しながら操作を行う必要があり、有効な手段といえなくなる。
【００８３】
図４に示すように、各操作ボタンと各ポートとは対応付けがなされ、各ポート及び外部機器の選択は、操作ボタンの操作により行われる。
【００８４】
選択されたポート及び外部機器に対する具体的な操作については図５を用いて説明する。
【００８５】
選択されたポート及び外部機器は、図５に示すように、ポート制御ボタン群２９を構成する操作ボタン２１，２２，２３，２４，２５，２６，２７，２８の操作により行っている。
【００８６】
操作ボタン「IN」２１及び操作ボタン「OUT」２２は、データの編集の際に使用されるボタンである。操作ボタン「IN」２１は、カットイン点を指定するためのもので、操作ボタン「OUT」２２は、カットアウト点を指定するためのものである。
【００８７】
操作ボタン「編集」２３は、データの編集を開始する際の編集開始ボタンである。すなわち操作ボタン「編集」２３は、、カットイン点及びカットアウト点を指定した後に、編集を開始させるためのボタンである。
【００８８】
操作ボタン「記録」２５は、データの記録を開始させるための操作ボタンであり、操作ボタン「再生」２７は、データの再生を開始させるための操作ボタンである。
【００８９】
操作ボタン２４は、ＶＴＲ機器等におけるいわゆる早送りするためのボタンに対応し、操作ボタン２８は、ＶＴＲ機器等におけるいわゆる巻き戻しするための操作ボタンに対応している。
【００９０】
操作ボタン「停止」２６は、処理を停止させるための操作ボタンである。例えば、この操作ボタン「停止」２６の操作により、再生処理、記録処理、及び編集処理等が停止される。
【００９１】
ポート制御ボタン群２９を構成するこのような操作ボタンにより、上述のポート選択ボタン群９の操作ボタンの操作により選択されたポート及び外部機器における処理の制御が実行される。
【００９２】
すなわち、ポート制御ボタン群の操作ボタンの操作がなされることにより、選択されているポート又は外部機器のＣＰＵは、コントロールパネル２から送信されてくるその操作に対応されたコマンド信号を受信し、このコマンド信号に基づいて各部の制御を開始する。
【００９３】
ポート選択ボタン群９及びこのポート制御ボタン群２９等は、図６に示すように、Ａ／Ｖサーバー１においてコントロールパネル２を構成している。
【００９４】
ここで示す例のコントロールパネル２は、Ａ／Ｖサーバー１の略箱形状とされた筐体３１の前面に構成されており、表示画面３２と、ポート選択ボタン群９と、操作ボタン３，４と、ポート制御ボタン群とを備えている。コントロールパネル２における操作ボタンの配置については、表示画面３２の両側に分散した配置とされ、操作ボタン２４，２５，２６，２７，２８、ポート選択ボタン群９、操作ボタン１１，１２、及びポート制御ボタン群の一部の操作ボタン２４，２５，２６，２７，２８と、操作ボタン「IN」２１及び操作ボタン「OUT」２２、並びに操作ボタン「編集」２３とがそれぞれ表示画面３２の両側に位置される。ここで、表示画面３２は、各種情報を表示するための表示手段である。
【００９５】
そして、コントロールパネル２は、図７に示すように、ポート選択ボタン群９等からなる照光式の操作ボタン群４１、ボタン入力Ｉ／Ｆ４２、ランプＩ／Ｆ４３、ＣＰＵ４４、ＲＯＭ４５、ＲＡＭ４６、不揮発性ＲＡＭ４７、及び通信Ｉ／Ｆ４８を備えている。そして、各部は、アドレス及びデータバス４９に接続されている。
【００９６】
ボタン入力Ｉ／Ｆ４２は、各操作ボタンの操作に応じて制御信号等をＣＰＵ４４に送信する。
【００９７】
ランプ出力Ｉ／Ｆ４３は、各操作ボタンを照光させるためのインターフェースである。ＲＯＭ４５は、プログラム等が記憶されている記憶手段である。
【００９８】
ＲＡＭ４６及び不揮発性ＲＡＭ４７は、一時的に使用される各種データが記憶される記憶手段である。ＲＡＭ４６には、例えば、操作ボタンの選択状態が記憶される。また、不揮発性ＲＡＭ４７には、後述のバインド情報等が記憶される。
【００９９】
通信Ｉ／Ｆ４８は、Ａ／Ｖサーバー１の本体との間でデータの転送を行うためのインターフェースである。
【０１００】
ＣＰＵ４４は、コントロールパネル２の各部を制御するための制御手段である。ＣＰＵ４４は、例えば、操作ボタンの操作に応じてボタン入力Ｉ／Ｆ４２を介して送られてくる信号等に基づいて各部を制御し、例えば、操作された操作ボタンを点灯させる処理を行う。
【０１０１】
次にこのように構成されているコントロールパネル２を有するＡ／Ｖサーバー２により実現される処理について図８乃至図１０を用いて説明する。
【０１０２】
Ａ／Ｖサーバー１は、上述したように、ポート選択ボタン群９の操作ボタンによりポートの選択がなされ、また、ポート制御ボタン群２９の操作ボタンにより、その選択したポートの記録、再生等の処理を開始させることができる。図８には、ポート及び外部機器の記録再生処理と編集操作処理を選択することを可能にする手順を示し、図９には、所望のポートを使用して記録再生処理をすることを可能にする一連の手順を示し、図１０には、所望のポートを使用して編集操作処理をすることを可能にする一連の手順を示している。
【０１０３】
ここで、記録再生処理、編集操作処理時のボタン操作については、表１に従って実行される。すなわち、コントロールパネル２は、記録再生処理、編集操作処理に対応して各操作ボタンを点灯及び消灯させる。
【０１０４】
【表１】
0004182576.tif 000002
【０１０５】
ここで、表中の「Ｒ」は操作ボタン「RECORDER」、「Ｐ」は操作ボタン「PLAYER」、「Px」は操作ボタン「P1」、「P2」、「P3」の何れかの操作ボタン、「Rx」は操作ボタン「R1」を意味している。なお、図９及び図１０においてもこの表現を使用するものとする。
【０１０６】
また、バインドとは、記録装置モードにおいて、操作ボタンにより記録ポートが選択された際には、自動で再生ポートを選択することをいい、すなわち、記録ポートと再生ポートを一つの組み合わせとして選択する状態をいう。本機のような再生ポート及び記録ポートが完全に独立して選択、操作可能な機種では記録ポートのみを選択した場合には、記録している画像音声の同時モニタができない。このようなことから、同時モニタをするために、記録ポートが選択された際には、このバインドにより、再生用ポートを一つ確保している。また、これにより、記憶して直ぐに再生する動作を行う場合には、記録ポートと再生ポートが同時に選択されている状態があれば記録や再生の都度ポートを選択する動作の必要性がなくなるので便利になる。
【０１０７】
図８に示すように、操作ボタン「PLAYER」１１及び操作ボタン「RECORDER」１２が消灯しているか否かを、ステップＳ１において確認し、操作ボタン「PLAYER」１１、操作ボタン「RECORDER」１２のどれもが消灯している場合には、記録再生処理を開始し、また、操作ボタン「PLAYER」１１、操作ボタン「RECORDER」１２の何れかが点灯している場合には、編集操作処理を開始する。
【０１０８】
記録再生処理では、図９に示すように、ステップＳ１１において、操作ボタン「EXT」３，４の何れかが押されたか否かを判別し、押されている場合には、ステップＳ１２に進み、押されてない場合には、ステップＳ１３に進む。
【０１０９】
ステップＳ１２では、押された操作ボタン「EXT」を点灯させ、当該処理を終了させる。
【０１１０】
ステップＳ１３では操作ボタン「Rx」又は操作ボタン「Px」が押されたか否かを判別する。ここで、操作ボタン「Rx」又は操作ボタン「Px」が押されている場合には、ステップＳ１４に進み、押されていない場合には、ステップＳ１７に進む。
【０１１１】
ステップＳ１４では、バインド情報が記憶されているか否かを判別する。このバインドが記憶されているか否かの判別は、図７に示す不揮発性ＲＡＭ４７内の検出により行う。
【０１１２】
ここで、バインド情報を記憶している場合には、ステップＳ１５に進み、記憶していない場合には、ステップＳ１６に進む。
【０１１３】
ステップＳ１５では、バインド情報に従い操作ボタン「Rx」及び操作ボタン「Px」を点灯させ、当該処理を終了する。
【０１１４】
ステップＳ１６では、押された操作ボタン「Rx」又は操作ボタン「Px」のみを点灯させ、当該処理を終了する。
【０１１５】
ステップＳ１７では、操作ボタン操作ボタン「PLAYER」１１又は「RECORDER」１２が押されたか否かを判別する。ここで、操作ボタン「PLAYER」１１又は操作ボタン「RECORDER」１２が押されている場合には、ステップＳ１８に進み、押されていない場合には、ステップＳ１９に進む。
【０１１６】
ステップＳ１８では、以前の操作ボタン「EXT」又は操作ボタン「INT」の選択状態を復帰し、押されていた操作ボタン「Rx」又は操作ボタン「Px」を点灯させ、当該処理を終了する。
【０１１７】
ステップＳ１９では、操作ボタン「記録」２５が押されたか否かを判別する。ここで、操作ボタン「記録」２５が押されている場合には、ステップＳ２０に進み、押されていない場合には、ステップＳ２２に進む。
【０１１８】
ステップＳ２０では、操作ボタン「Rx」又は操作ボタン「EXT」が点灯しているか否かを判別する。ここで、操作ボタン「Rx」又は操作ボタン「EXT」が点灯している場合には、ステップＳ２１に進み、点灯していない場合には、当該処理を終了する。
【０１１９】
ステップＳ２１では、点灯している操作ボタン「Rx」又は操作ボタン「EXT」に対応するポート又は外部機器に対して記録コマンドを送信し、当該処理を終了する。
【０１２０】
ステップＳ２２では、操作ボタン「再生」２７が押されたか否かを判別する。ここで、操作ボタン「再生」２７が押されている場合には、ステップＳ２３に進み、押されていない場合には、ステップＳ２５に進む。
【０１２１】
ステップＳ２３では、操作ボタン「Px」又は操作ボタン「EXT」が点灯しているか否かを判別する。ここで、操作ボタン「Px」又は操作ボタン「EXT」の点灯している場合には、ステップＳ２４に進み、点灯していない場合には、当該処理を終了する。
【０１２２】
ステップＳ２４では、点灯している操作ボタン「Px」又は操作ボタン「EXT」に対応するポート又は外部機器に対して再生コマンドを送信し、当該処理を終了する。
【０１２３】
ステップＳ２５では、操作ボタン「停止」２６が押されたか否かを判別する。ここで、操作ボタン「停止」２６が押されている場合には、ステップＳ２６に進み、押されていない場合には、当該処理を終了する。
【０１２４】
ステップＳ２６では、ステップＳ２１又はステップＳ２４において記録コマンド又は再生コマンドが送信されているポート又は外部機器に停止コマンドを送信し、当該処理を終了する。
【０１２５】
以上のように一連の手順により、ポート又は外部機器が選択され、その選択したポート又は外部機器による記録又は再生処理が実現される。
【０１２６】
編集操作処理では、図１０に示すように、ステップＳ３１において、操作ボタン「EXT」３，４の何れかが押されているか否かを判別し、押されている場合には、ステップＳ３２に進み、押されている場合には、ステップＳ３３に進む。
【０１２７】
ステップＳ３２では、押されている操作ボタン「EXT」を点灯させ、当該処理を終了させる。
【０１２８】
ステップＳ３３では操作ボタン「Rx」又は操作ボタン「Px」が押されたか否かを判別する。ここで、操作ボタン「Rx」又は操作ボタン「Px」が押されている場合には、ステップＳ３４に進み、押されていない場合には、ステップＳ３７に進む。
【０１２９】
ステップＳ３４では、バインド情報が記憶されているか否かを判別する。ここで、バインド情報が記憶されている場合には、ステップＳ３５に進み、記憶されていない場合には、ステップＳ３６に進む。
【０１３０】
ステップＳ３５では、バインド情報に従い操作ボタン「Rx」及び操作ボタン「Px」を点灯させ、当該処理を終了する。
【０１３１】
ステップＳ３６では、押された操作ボタン「Px」又は操作ボタン「Px」のみを点灯させ、当該処理を終了する。
【０１３２】
ステップＳ３７では、操作ボタン「PLAYER」１１又は操作ボタン「RECORDER」１２が押されたか否かを判別し、操作ボタン「PLAYER」１１又は操作ボタン「RECORDER」１２が押されている場合には、ステップＳ３８に進み、押されていない場合には、ステップＳ４１に進む。
【０１３３】
ステップＳ３８では、押されれた操作ボタン「PLAYER」１１又は操作ボタン「RECORDER」１２が点灯しているか否かを判別する。ここで、又は操作ボタン「PLAYER」１１又は操作ボタン「RECORDER」１２が点灯している場合には、ステップＳ３９に進み、点灯していない場合には、ステップＳ４０に進む。
【０１３４】
ステップＳ３９では、押された操作ボタンを消灯させ、当該処理を終了する。
【０１３５】
ステップＳ４０では、点灯している側の現在の操作ボタン「EXT」又は操作ボタン「INT」の選択状態を記憶して消灯し、消灯している側である以前の操作ボタン「EXT」又は操作ボタン「INT」の選択状態を復帰させ、以前の選択状態として操作ボタンを点灯させ、当該処理を終了する。すなわち、このステップＳ４０では、モードを切り替える前後のポート選択ボタン群９の選択状態を記憶することによりこの処理を実現している。
【０１３６】
例えば、点灯している側の現在の操作ボタン「EXT」又は操作ボタン「INT」の選択状態は、図７に示すＲＡＭ４６に記憶し、消灯している側である以前の操作ボタン「EXT」又は操作ボタン「INT」の選択状態の情報は、ＲＡＭ４６から読み込む。
【０１３７】
ステップＳ４１では、操作ボタン「記録」２５が押されたか否かを判別する。ここで、操作ボタン「記録」２５が押されている場合には、ステップＳ４２に進み、押されていない場合には、ステップＳ４４に進む。
【０１３８】
ステップＳ４２では、操作ボタン「Rx」又は操作ボタン「EXT」が点灯しているか否かを判別する。ここで、操作ボタン「Rx」又は操作ボタン「EXT」が点灯している場合には、ステップＳ４３に進み、点灯していない場合には、当該処理を終了する。
【０１３９】
ステップＳ４３では、点灯している操作ボタン「Rx」又は操作ボタン「EXT」に対応するポート又は外部機器に対して記録コマンドを送信し、当該処理を終了する。
【０１４０】
ステップＳ４４では、操作ボタン「再生」２７が押されたか否かを判別する。ここで、操作ボタン「再生」が押されている場合には、ステップＳ４５に進み、押されていない場合には、ステップＳ４９に進む。
【０１４１】
ステップＳ４５では、操作ボタン「Px」又は操作ボタン「EXT」が点灯しているか否かを判別する。ここで、操作ボタン「Px」又は操作ボタン「EXT」が点灯している場合には、ステップＳ４６に進み、点灯していない場合には、当該処理を終了する。
【０１４２】
ステップＳ４６では、点灯している操作ボタン「Px」又は操作ボタン「EXT」に対応するポート又は外部機器に対して再生コマンドを送信し、当該処理を終了する。
【０１４３】
ステップＳ４７では、操作ボタン「停止」２６が押されたか否かを判別する。ここで、操作ボタン「停止」２６が押されている場合には、ステップＳ４８に進み、押されていない場合には、ステップＳ４９に進む。
【０１４４】
ステップＳ４８では、ステップＳ４３又はステップＳ４６において記録コマンド又は再生コマンドが送信されているポート又は外部機器に停止コマンドを送信し、当該処理を終了する。
【０１４５】
ステップＳ４９では、操作ボタン「IN」２１又は操作ボタン「OUT」２２が押されたか否かを判別する。ここで、操作ボタン「IN」２１又は操作ボタン「OUT」２２が押されている場合には、ステップＳ５０に進み、押されていない場合には、ステップＳ５１に進む。
【０１４６】
ステップＳ５０では、編集点を設定する。すなわち、操作ボタン「IN」２１が押されている場合には、カットイン点を設定し、また、操作ボタン「OUT」２２がおされている場合には、カットアウト点を設定する。このステップＳ５０で編集点を設定した後、当該処理を終了する。
【０１４７】
ステップＳ５１では、操作ボタン「編集」２３が押されたか否かを判別する。ここで、操作ボタン「編集」２３が押されている場合には、ステップＳ５２に進み、押されていない場合には、当該処理を終了する。
【０１４８】
ステップＳ５２では、記録処理を行っているポート又は外部機器及び再生処理を行っているポート又は外部機器に対して編集コマンドを送信し、当該処理を終了する。
【０１４９】
以上のように一連の手順により、記録又は再生ポート、若しくは外部機器を選択して、編集操作処理が行えるようになる。
【０１５０】
Ａ／Ｖサーバー１は、上述のようなコントロールパネル２を備えることにより、限られた操作面積上で、多くの記録再生ポートを操作することができる。
【０１５１】
すなわち、Ａ／Ｖサーバー１は、上述したように、操作ボタン「PLAYER」１１及び操作ボタン「RECORDER」１２が消灯されている場合において、記録ポート、再生ポート、及び外部機器に対応される操作ボタンを選択することにより、当該選択した操作ボタンに対応するポート又は外部機器により記録処理及び再生処理を行うことが可能になる。そして、編集操作状態においては、唯一つのポート選択ボタン群９により、記録又は再生ポート、若しくは外部機器を選択し、それら選択したポート又は外部機器を制御することができる。
【０１５２】
図１１には、操作ボタン「PLAYER」１１及び操作ボタン「RECORDER」１２に対応してポート選択ボタン群がそれぞれ設けられた例を示している。すなわち、操作ボタン「PLAYER」１１に対応するポート選択ボタン群として操作ボタン「EXT」１１3，１１4、操作ボタン「R1」１１5、「P1」、「P2」、「P3」の操作ボタン１１6，１１7，１１8を設け、操作ボタン「RECORDER」１２に対応するポート選択ボタン群として操作ボタン「EXT」１２3，１２4、操作ボタン「R1」１２5、「P1」、「P2」、「P3」の操作ボタン１２6，１２7，１２8を設けている。
このようにすることにより、上述したように、編集操作処理の際に記録側及び再生側において選択されているポート又は外部機器の選択状態を確認することができる。しかし、操作ボタン「PLAYER」１１と操作ボタン「RECORDER」１２に対応してポート選択ボタン群を設けたため、操作面積は広くなり、さらにこのような場合には、ポートの数の増加に対して倍数分だけ操作ボタンが必要になってしまうという欠点もある。
【０１５３】
このように、Ａ／Ｖサーバー１の備えるコントロールパネル２は、限られた操作面上で、多くの記録再生ポートを操作することが可能になる。
【０１５４】
よって、Ａ／Ｖサーバー１のコントロールパネル２の限られた操作面積を節約することにより、優先度の高い他の機能を操作部分に実現することができる。
【０１５５】
また、Ａ／Ｖサーバー１は、バインド機能により記録ポート及び再生ポートを対にして操作できることにより、記録ポートと再生ポートが独立している場合であっても、従来のＶＴＲ機器の感覚で操作することが可能になる。
【０１５６】
なお、Ａ／Ｖサーバー１は、記録パート及び再生ポートの数を任意の数に変更することができる。例えば、図２に示す記録ポート１１０と再生ポート１２０とを同一基板上に形成し、さらには再生ポート１３０と再生ポート１４０とを同一基板上に形成して、本体に対して差し替え可能なように構成する。そして、記録ポートと再生ポートからなる基板を再生ポート１３０及び再生ポート１４０からなる基板と差し替える。これによりＡ／Ｖサーバー１は、記録ポートと再生ポートをそれぞれ２つもつものとなる。例えば、このような基板の変更をすることができることに対応して、図１２に示すように、操作ボタン８を操作ボタン「R2/P3」とし、コントロールパネル２のポート選択ボタン群を構成する。
【０１５７】
【発明の効果】
本発明に係るデータ記録再生装置は、筐体の表面に配置され、入出力処理部を選択するための複数の操作ボタンからなるボタン群と、ボタン群についてのモードを切り替える切り替え手段とを備えることにより、一つのボタン群によりモード毎の操作が可能になる。すなわち、データ記録再生装置は、複数のモードに対応して複数のボタン群を備えることなく、当該モードを実行することが可能となる。
【０１５８】
これにより、データ記録再生装置は、限られた操作面積であっても、コントロールパネルにより操作される機能を多く備えることが可能になる。
【図面の簡単な説明】
【図１】本発明の実施の形態のＡ／Ｖサーバーの備えるコントロールパネルを示す正面図である。
【図２】Ａ／Ｖサーバーの構成を示すブロック図である。
【図３】コントロールパネルのポート選択ボタン群の構成を示す正面図である。
【図４】ポート選択ボタン群の操作ボタンのとポート及び外部ＶＴＲとの対応付けを示す図である。
【図５】ポート選択ボタン群及びポート制御ボタン群からなるコントロールパネルを構成を示す正面図である。
【図６】より具体的な例のコントロールパネルの構成を示す正面図である。
【図７】コントロールパネルの内部回路の構成を示すブロック回路図である。
【図８】記録再生処理又は編集操作処理を選択する際のコントロールパネルの一連の手順を示すフローチャートである。
【図９】記憶再生装置の際のコントロールパネルにおける処理手順を示すフローチャートである。
【図１０】編集操作処理の際のコントロールパネルにおける処理手順を示すフローチャートである。
【図１１】ポート選択ボタン群を複数備えたコントロールパネルの構成を示す正面図である。
【図１２】コントロールパネルの変形例を示す正面図である。
【図１３】従来のコントロールパネルの備えた「PLAYER」、操作ボタン「RECORDER」を示す正面図である。
【図１４】  従来のコントロールパネルの備えた「IN」、操作ボタン「OUT」を示す正面図である。
【図１５】従来のコントロールパネルの例を示す図である。
【符号の説明】
１  Ａ／Ｖサーバー、２  コントロールパネル、３，４，５，６，７，８  操作ボタン、９  ポート選択ボタン群、１１，１２  操作ボタン、１１０  記録ポート、１２０，１３０，１４０  再生ポート
【図１】
0004182576.tif 000003
【図２】
0004182576.tif 000004
【図３】
0004182576.tif 000005
【図４】
0004182576.tif 000006
【図５】
0004182576.tif 000007
【図６】
0004182576.tif 000008
【図７】
0004182576.tif 000009
【図８】
0004182576.tif 000010
【図９】
0004182576.tif 000011
【図１０】
0004182576.tif 000012
【図１１】
0004182576.tif 000013
【図１２】
0004182576.tif 000014
【図１３】
0004182576.tif 000015
【図１４】
0004182576.tif 000016
【図１５】
0004182576.tif 000017